(57)【要約】【課題】  単純な構成で、吸引機構を備えたエアゾール容器のボタン及び吸引機構を備えたエアゾール容器のボタンを有するエアゾール装置を提供することを目的とするものである。【解決手段】  本実施形態におけるボタン１の要部構造は、エアゾール容器のステム９に嵌合された胴体部２と、胴体部２の上部に取り外し可能に冠着された押圧部３とに大別され、エアゾール容器外の外気を吸引してボタン１外に排出する吸引機構を備えたことを特徴とする。【選択図】  図１
2007007579.tif 000002
【特許請求の範囲】
【請求項１】
エアゾール容器に嵌合されるボタンであって、
前記エアゾール容器外の外気を吸引して前記ボタン外に排出する吸引機構を備えたことを特徴とするボタン。
【請求項２】
前記吸引機構は、前記エアゾール容器の内容物の噴射によって生ずる噴射力を負圧の吸引力に変換することを特徴とする請求項１に記載のボタン。
【請求項３】
前記吸引機構は、前記エアゾール容器のステムを押下することによって噴出する前記エアゾール容器の内容物を前記エアゾール容器の外部へ排出する排出路を備え、前記排出路の一部が前記ボタンに形成された吸引口に連なる吸引路と共有することを特徴とする請求項１または請求項２に記載のボタン。
【請求項４】
前記吸引機構は、前記エアゾール容器のステムを押圧する胴体部と、前記胴体部に冠着される押圧部とによって形成されていることを特徴とする請求項１〜請求項３のいずれかに記載のボタン。
【請求項５】
前記吸引路又は前記排出路には、前記吸引路を経由する気体に混入した不要物を除去するろ過部を有することを特徴とする請求項３または請求項４に記載のボタン。
【請求項６】
前記押圧部は、前記胴体部から取り外し可能であることを特徴とする請求項４または請求項５に記載のボタン。
【請求項７】
前記押圧部は、前記胴体部に回転可能に装着され、前記押圧部を回転させることによって前記排出路を開閉する開閉弁を有することを特徴とする請求項４〜請求項６のいずれかに記載のボタン。
【請求項８】
前記開閉弁を閉じることによって前記排出路を封鎖し、前記噴射圧によって前記吸引口から前記エアゾール容器の内容物を噴射することを特徴とする請求項７に記載のボタン。
【請求項９】
前記請求項１〜請求項８の何れかに記載のボタンを備えたことを特徴とするエアゾール装置。
【発明の詳細な説明】
【技術分野】
【０００１】
本発明は、吸引機構を備えたエアゾール容器のボタン及び吸引機構を備えたエアゾール容器のボタンを有するエアゾール装置に関する。
【背景技術】
【０００２】
エアゾール缶の頂部に備えた押圧部を押圧することにより、エアゾール式缶内のガスを噴射するエアゾール容器が使用されている。また、ごみ、花粉等の粉塵等を吸引するモータ等の動力源を備えたものとして掃除機等が知られている。
【特許文献１】特開２００４−２２３４０８号公報
【発明の開示】
【発明が解決しようとする課題】
【０００３】
従来、エアゾール容器は内容物の噴射機構として使用されていたが、エアゾール容器外の外気を吸引する吸引機構を備えたものは使用されていない。また、掃除機等は動作させるために電源を必要とし、持ち運びにも手間が掛かり気軽に使用しにくいという問題点がある。また、吸引機構と噴射機構を併せ持つ機構については複雑な構成を有するという問題点があった。
【０００４】
本発明は、上述した従来技術の問題点を解消し、単純な構成で、吸引機構を備えたエアゾール容器のボタン及び吸引機構を備えたエアゾール容器のボタンを有するエアゾール装置を提供することを目的とするものである。
【課題を解決するための手段】
【０００５】
本発明の上記目的は、以下の手段により達成される。
（１）  エアゾール容器に嵌合されるボタンであって、
前記エアゾール容器外の外気を吸引して前記ボタン外に排出する吸引機構を備えたことを特徴とするボタン。
（２）  前記吸引機構は、前記エアゾール容器の内容物の噴射によって生ずる噴射力を負圧の吸引力に変換することを特徴とする（１）に記載のボタン。
（３）  前記吸引機構は、前記エアゾール容器のステムを押下することによって噴出する前記エアゾール容器の内容物を前記エアゾール容器の外部へ排出する排出路を備え、前記排出路の一部が前記ボタンに形成された吸引口に連なる吸引路と共有することを特徴とする（１）または（２）に記載のボタン。
（４）  前記吸引機構は、前記エアゾール容器のステムを押圧する胴体部と、前記胴体部に冠着される押圧部とによって形成されていることを特徴とする（１）〜（３）のいずれかに記載のボタン。
（５）  前記吸引路又は前記排出路には、前記吸引路を経由する気体に混入した不要物を除去するろ過部を有することを特徴とする（３）または（４）に記載のボタン。
（６）  前記押圧部は、前記胴体部から取り外し可能であることを特徴とする（４）または（５）に記載のボタン。
（７）  前記押圧部は、前記胴体部に回転可能に装着され、前記押圧部を回転させることによって前記排出路を開閉する開閉弁を有することを特徴とする（４）〜（６）のいずれかに記載のボタン。
（８）  前記開閉弁を閉じることによって前記排出路を封鎖し、前記噴射圧によって前記吸引口から前記エアゾール容器の内容物を噴射することを特徴とする（７）に記載のボタン。
（９）  前記（１）〜（８）の何れかに記載のボタンを備えたことを特徴とするエアゾール装置。
【発明の効果】
【０００６】
本発明によれば、小型で持ち運びが容易なエアゾール容器に、従来は備えていなかった吸引機構を持たせたボタンを装着させている。従って、従来のように持ち運びに手間の掛かる掃除機等の大きな吸引装置を用いずとも様々な場面に携帯することが可能である。また、本発明によれば、吸引機構を動作せるための電源を必要としないので、電源を確保できない場所にも携帯可能であり、どのような場面においても即座に使用可能な吸引機構を提供することが可能である。
【０００７】
また、本発明によれば、エアゾール容器の内容物をエアゾール容器の外部へ排出する排出路を備え、排出路の一部がボタンに形成された吸引口に連なる吸引路と共有することでエアゾール容器の噴射力を負圧の吸引力に変換するように構成されている。従って、エアゾール容器外の外気と共に、ごみ、花粉、その他の粉塵等を吸引することが可能である。
【０００８】
また、本発明によれば、吸引機構は、エアゾール容器のステムを押圧する胴体部と、胴体部に冠着される押圧部とによって形成されている。従って、従来のエアゾールキャップと同等の部品に改良を加えることによって吸引機構を備えたボタンを製造でき、簡単な構成で従来にはなかった吸引機構を有するボタンを提供することができる。
【０００９】
また、本発明によれば、吸引路を経由する気体に混入した不要物を除去するろ過部を有しているので、吸引した外気から確実に粉塵等を取り除くことができる。また、押圧部を胴体部から取り外すことによって、ろ過部に貯留した粉塵等を取り除くことができるので繰返し吸引動作を行わせることが可能である。
【００１０】
また、本発明によれば、押圧部は、胴体部に回転可能に装着され、押圧部を回転させることによって排出路を開閉する開閉弁を有し、開閉弁を閉じることによって排出路を封鎖し、噴射圧によって吸引口からエアゾール容器の内容物を噴射するよう構成されている。従って、従来にはない吸引機構と噴射機構との両方の機構を併せ持つボタンを提供することが可能である。
【発明を実施するための最良の形態】
【００１１】
以下、添付図面を参照して本発明の実施形態について詳細に説明する。
（第一実施形態）
本実施形態におけるボタン１の構造について図１を用いて説明する。
図１（ａ）は本実施形態におけるエアゾール装置２０の背面図であり、図１（ｂ）は図１（ａ）のＡ−Ａ´線断面図である。
【００１２】
図１に示すように、本実施形態におけるボタン１の要部構造は、エアゾール容器のステム９に嵌合された胴体部２と、胴体部２の上部に取り外し可能に冠着された押圧部３とに大別される。
本実施形態において、ボタン１は胴体部２が備える嵌合手段１０によってエアゾール容器１１のステム９に嵌合され、ボタン１を覆うようにキャップ１２が嵌合手段１３によってエアゾール容器１１に嵌合されている。
【００１３】
まず、胴体部２の構造について説明する。
胴体部２は略円柱形状の外観を有し、図１（ｂ）に示すようにその断面には複数の空洞箇所が構成されている。
胴体部２には、正面略中央部にエアゾール容器１１外の外気を吸引する円形の吸引口６がエアゾール容器の噴出口１４よりも下方に形成されている。このように噴出口１４よりも下方に吸引口６を設けることによって、より大きな負圧の吸引力を得ることが可能である。なお、負圧の吸引力については後ほど説明する。
【００１４】
また、胴体部２の断面中央部には略円筒形状の吸引路５がステム９の鉛直上向き方向に形成され、吸引路５の外周壁１５を挟んでさらに外周には外気からの粉塵等が貯留される貯留部１８が形成されている。なお、吸引路５はボタン１の下方から上方に向かうにつれて開口径が小さくなり、所定の位置で再び開口径が広がる構造を有している。このように、吸引路５をボタン１の下方から上方に向かうにつれて開口径を小さくすることによって噴出口１４からの噴出速度を減少させることなく吸引力を維持することが可能である。
【００１５】
さらに、貯留部１８には吸引口６から吸引される外気に混入した粉塵等を取り除くための網目状のろ過部７が敷設されており、ろ過部７のさらに下部に位置する貯留部１８の底面には複数（図示省略）の排出口１６が形成されている。吸引された外気はろ過部７を通過し、排出口１６から排出され、通過路８を経由してボタン１の外部へ排出される（図１（ｂ）の矢印Ｑ方向）。
【００１６】
このように、本実施形態におけるボタン１が備える胴体部２には、矢印Ｏから矢印Ｑの方向、即ち吸引口６→吸引路５→貯留部１８→ろ過部７→排出口１６→通過路８の順に複数の空洞箇所を経由し、気体を排出させる一つの経路が形成されている。なお、以下、本実施形態においては貯留部１８→ろ過部７→排出口１６→通過路８の経路を「排出路Ｉ」と呼ぶこととする。
【００１７】
次に、押圧部３の構造について説明する。
押圧部３は断面視コの字形状からなり、その上面は、コの字の開口方向に向かって緩やかに湾出した上面視円形の湾曲面１７を有している。本実施形態において押圧部３の外径Ｌと胴体部２の内径とが等しく形成されているので、押圧部３を胴体部２の上側から冠着することによって押圧部３の外壁と胴体部２の内壁とが隙間なく接し、胴体部２の上側の開口部分を封鎖することによって排出路Ｉを形成している。
【００１８】
また、押圧部３を胴体部２に冠着させることによって、押圧部３の爪部２１と胴体部２の側壁１９とで溝２２を形成している。このように溝２２を形成することによって、使用者が溝２２に爪を引っ掛け、押圧部３を上方へ引き上げることによって押圧部３を胴体部２から脱着することできる。従って、ろ過部７に貯留された粉塵等を容易に除去することが可能である。
【００１９】
以上、上述したように構成される本実施形態に係るボタン１の作用効果を説明する。
まず、使用者はキャップ１２をエアゾール容器１１から着脱し、吸引ノズル２５を吸引口６へ装着する。なお、本実施形態において吸引ノズル２５は先端部に向かうにつれて幅広に形成されたノズルを用いたが、これに限られるものではなく、例えば、先端部が狭口のノズルや、ノズルの長さが変長可能なものであってもよい。
【００２０】
次に、使用者は、押圧部３の湾曲面１７を指等で押圧し、エアゾール容器１１のステム９を押下させる。ボタン１には排出路Ｉが形成されているため、ステム９が押下されるとエアゾール容器１１の内容物は噴出口１４から鉛直上向き方向に噴出される。このとき、排出路Ｉの一部がボタン１に形成された吸引口６に連なる吸引路５と共有されているので、噴射口１４付近の噴射圧が負圧の吸引力に変換され吸引口６からエアゾール容器１１外の外気が吸引され、エアゾール容器１１の内容物と混合した大気は吸引路５へ吸引される。
【００２１】
そして、吸引路５を経た大気は排出路Ｉを経てエアゾール容器１１外へ排出される。ここで、吸引された外気に混入した粉塵等は、ろ過部７において除去される。なお、使用者は、溝２２に爪等を引っ掛けて押圧部３を上方へ引き上げ、押圧部３を胴体部２から脱着することによってろ過部７に貯留された粉塵等を除去することができ、エアゾール容器１１の内容物がなくなるまで繰返し吸引動作を行うことが可能である。
【００２２】
（第二実施形態）
次に、第二の実施形態について図２〜図４を用いて説明する。第二の実施形態においては吸引機構及び噴射機構とを備えたボタンについて説明する。
まず、本実施形態におけるボタン３０の構造について図２を用いて説明する。
図２（ａ）は本実施形態におけるエアゾール装置５０の背面図であり、図２（ｂ）は図２（ａ）のＢ−Ｂ´線断面図である。
【００２３】
図２に示すように、本実施形態におけるボタン３０の要部構造は、エアゾール容器のステム３９に嵌合された胴体部３２と、胴体部３２の上部に取り外し可能に冠着された押圧部３３とに大別される。
本実施形態において、ボタン３０は胴体部３２が備える嵌合手段４０によってエアゾール容器４１に嵌合され、ボタン３０を覆うようにキャップ４２が嵌合手段４３によってエアゾール容器４１に嵌合されている。
【００２４】
次に、胴体部３２の構造について説明する。
胴体部３２は略円柱形状の外観を有し、図２（ｂ）に示すようにその断面には複数の空洞箇所が構成されている。
胴体部３２には、正面略中央部にエアゾール容器４１外の外気を吸引する円形の吸引口３６がエアゾール容器の噴出口４４より下方に形成されている。このように噴出口４４より下方に吸引口３６を設けることによって、より大きな負圧の吸引力を得ることが可能である。
【００２５】
また、胴体部３２の断面中央部には略円筒形状の吸引路３５がステム３９の鉛直上向き方向に形成され、吸引路３５の外周壁４５を挟んでさらに外周には外気からの粉塵等が貯留される貯留部４８が形成されている。なお、吸引路３５はボタン３０の下方から上方に向かうにつれて開口径が小さくなり、所定の位置で再び開口径が広がる構造を有している。このように、吸引路３５をボタン３０の下方から上方に向かうにつれて開口径を小さくすることによって噴出口４４からの噴出速度を減少させることなく吸引力を維持することが可能である。
【００２６】
さらに、貯留部４８には吸引口３６から吸引される外気に混入した粉塵等を取り除くための網目状のろ過部３７が敷設されており、ろ過部３７のさらに下部に位置する貯留部４８の底面には複数の排出口４６が形成されている。吸引された外気はろ過部３７を通過し、排出口４６から排出され、通過路３８を経由してボタン３０の外部へ排出される。
【００２７】
このように、本実施形態におけるボタン３０が備える胴体部３２には、吸引口３６→吸引路３５→貯留部４８→ろ過部３７→排出口４６→通過路３８の順に複数の空洞箇所を経由し気体を排出させる一つの経路が形成されている。なお、本実施形態においては貯留部４８→ろ過部３７→排出口４６→通過路３８の経路を「排出路ＩＩ」と呼ぶこととする。
【００２８】
次に、押圧部３３の構造について説明する。
押圧部３３は、その外周壁５２を胴体部３２の外周壁に備えられた嵌合手段５１によって冠着されている。一方押圧部３３の内周側に設けられた開閉弁５４は胴体部３２の内周壁５３と摺動可能に接している。押圧部３３を胴体部３２の上面側から冠着することによって押圧部３３の開閉弁５４と胴体部３２の内周壁５３とが隙間なく接し、胴体部３２の上面側の開口部分を封鎖することによって排出路ＩＩを形成することができる。なお、本実施形態において押圧部３３は胴体部３２に回転可能に冠着されており、時計方向及び反時計方向の何れにも回転可能である。
【００２９】
また、図２（ａ）に示すように押圧部３３は外周壁５２の一部に切欠き部５５を有し、切欠き部５５の切欠き範囲内において押圧部３３を回転させ、位置合わせ片５６を係合片５７に位置合わせすることによって開閉弁５４の開閉具合を調整することが可能である。また押圧部３３の上面は、吸引路３５に向かって緩やかに湾出した上面視円形の湾曲面４７を有している。
【００３０】
以上、上述したように構成される本実施形態に係るボタン３０の作用効果を図３及び図４を用いて説明する。
図３は吸引状態を示した図である。
図３（ａ）はエアゾール容器４１からキャップ４２を着脱し吸引ノズル６０を吸引口３６へ装着した後のボタン３０の上面図、図３（ｂ）は図３（ｃ）のＣ−Ｃ´線断面図、図３（ｃ）はエアゾール容器４１からキャップ４２を着脱し吸引ノズル６０を吸引口３６へ装着した後のＢ−Ｂ´線断面図である。
【００３１】
使用者はキャップ４２をエアゾール容器４１から着脱し、吸引ノズル６０を吸引口３６へ装着する。なお、本実施形態において吸引ノズル６０は先端部に向かうにつれて幅広に形成されたノズルを用いたが、これに限られるものではなく、例えば、先端部が狭口のノズルや、ノズルの長さが変長可能なものであってもよい。
【００３２】
次に、使用者は、押圧部３３の上面に記された「吸」あるいは「出」の位置合わせ片５６を係合片５７の位置にあわせるまで押圧部３３を矢印Ｒ方向に回転させる。本実施形態においては初めに「吸」にあわせた場合について説明する。
【００３３】
次に、使用者は押圧部３３の湾曲面４７を指等で押圧し、エアゾール容器４１のステム３９を押下させる。ボタン３０には排出路ＩＩが形成されているため、ステム３９が押下されるとエアゾール容器４１の内容物は噴出口４４から鉛直上向き方向に噴出される。このとき、図３（ｂ）に示すように開閉弁５４は胴体部３２の内周壁５３と隙間無く接し、重なり合っている。すなわち、排出路ＩＩが形成された状態であり、排出路ＩＩの一部がボタン３０に形成された吸引口３６に連なる吸引路３５と共有されているので、噴射口４４付近の噴射圧が負圧の吸引力に変換され吸引口３６からエアゾール容器４１外の外気が吸引され、エアゾール容器４１の内容物と混合した大気は吸引路３５へ吸引される（図３（ｃ）の矢印Ｓ方向）。
【００３４】
そして、吸引路３５を経た大気は排出路ＩＩを経てエアゾール容器４１外へ排出される（図３（ｃ）の矢印Ｔ方向）。ここで、吸引された外気に混入した粉塵等は、ろ過部３７において除去される。なお、使用者は、押圧部３３を上方へ引き上げ、押圧部３３を胴体部３２から脱着することによってろ過部３７に貯留された粉塵等を除去することができ、エアゾール容器４１の内容物がなくなるまで繰返し吸引動作を行うことが可能である。
【００３５】
次に、図４を用いて噴射状態を説明する。
図４（ａ）はエアゾール容器４１からキャップ４２を着脱し吸引ノズル６０を吸引口３６へ装着した後のボタン３０の上面図、図４（ｂ）はボタン３０の要部構造を示した図４（ｃ）のＤ−Ｄ´線断面図、図４（ｃ）はエアゾール容器４１からキャップ４２を着脱し吸引ノズル６０を吸引口３６へ装着した後のＢ−Ｂ´線断面図である。
【００３６】
まず、使用者が押圧部３３の上面に記された「出」の位置合わせ片５６を係合片５７の位置にあわせるまで押圧部３３を矢印Ｒ方向に回転させる。押圧部３３の湾曲面４７を少なくとも一本の指で押圧し、エアゾール容器４１のステム３９を押下させると、開閉弁５４は胴体部３２の内周壁５３と交互に位置し排出路ＩＩが閉ざされた状態となる。従って、噴出口４４付近の噴射圧によって吸引口３６からエアゾール容器の内容物を外部へ噴射することができる（図４（ｃ）の矢印Ｕ方向）。
【００３７】
以上、説明したように、本実施形態によれば、小型で持ち運びが容易なエアゾール容器１１、４１に、従来は備えていなかった吸引機構を持たせたボタン１、３０を装着させている。従って、従来のように持ち運びに手間の掛かる掃除機等の大きな吸引装置を用いずとも様々な場面に携帯できるエアゾール装置を提供することが可能である。また、本実施形態によれば、吸引機構を動作せるための電源を必要としないので、電源を確保できない場所にも携帯可能であり、どのような場面においても即座に使用可能な吸引機構を提供することが可能である。
【００３８】
また、本実施形態によれば、ボタン１、３０は、エアゾール容器１１、４１の内容物をエアゾール容器１１、４１の外部へ排出する排出路Ｉ、ＩＩを備え、排出路Ｉ、ＩＩの一部がボタン１、３０に形成された吸引口６、３６に連なる吸引路５、３５と共有することでエアゾール容器１１、４１の噴射力を負圧の吸引力に変換するように構成されている。従って、エアゾール容器外の外気を吸引することが可能となり外気のごみ、花粉、その他の粉塵等を吸引することが可能である。
【００３９】
また、本実施形態によれば、排出路Ｉ、ＩＩは、エアゾール容器１１、４１のステムを押圧する胴体部２、３２と、胴体部２、３２に冠着される押圧部３、３３とによって形成されている。従って、従来のエアゾールキャップと同等の部品数で吸引機構を備えたボタン１、３０を製造でき、比較的簡単な構成で従来にはなかった吸引機構を有するボタン１、３０を提供することができる。
【００４０】
また、本実施形態によれば、ボタン１、３０は、吸引路を経由する気体に混入した不要物を除去するろ過部７、３７を有しているので、吸気から確実に粉塵等を取り除くことができる。また、押圧部３、３３を胴体部２、３２から取り外すことによって、ろ過部７、３７に貯留した粉塵等を取り除くことができるので繰返し吸引動作を行わせることが可能である。
【００４１】
また、本実施形態によれば、押圧部３、３３は、胴体部２、３２に回転可能に装着され、押圧部３、３３を回転させることによって排出路Ｉ、ＩＩを開閉する開閉弁５４を有し、開閉弁５４を閉じることによって排出路Ｉ、ＩＩを封鎖し、噴射圧によって吸引口６、３６からエアゾール容器１１、４１の内容物を噴射するよう構成されている。従って、従来にはない吸引機構と噴射機構との両方の機構を併せ持つボタン１、３０を提供することが可能である。
【図面の簡単な説明】
【００４２】
【図１】第一実施形態におけるエアゾール装置の背面図及び断面図である。
【図２】第二実施形態におけるエアゾール装置の背面図及び断面図である。
【図３】第二実施形態におけるエアゾール装置の吸引状態を示す上面図及び断面図である。
【図４】第二実施形態におけるエアゾール装置の噴射状態を示す上面図及び断面図である
【符号の説明】
【００４３】
１、３０      ボタン
２、３２      胴体部
３、３３      押圧部
５、３５      吸引路
６、３６      吸引口
９、３９      ステム
７、３７      ろ過部
１１、４１    エアゾール容器
１２、４２    キャップ
１３、４３    嵌合手段
２０、５０    エアゾール装置
２５、６０    ノズル
【図１】
2007007579.tif 000003
【図２】
2007007579.tif 000004
【図３】
2007007579.tif 000005
【図４】
2007007579.tif 000006